(57)【特許請求の範囲】
【請求項１】
ウェブ部の両端に一対のフランジ部が連設され、前記フランジ部の他端にアーム部が連設されると共に、そのアーム部の先端に継手部を設けた断面ハット形であり、熱間圧延加工により製造されるハット形鋼矢板において、
前記ウェブ部と前記フランジ部との連設部に位置する隅角部と前記アーム部と前記フランジ部との連設部に位置する隅角部との中間部のみであって、前記ウェブ部に交差する重心軸を境として一方及び他方に、それぞれ少なくとも１つの部材長手方向に連続する積み重ね用間隔保持部を一体に設けたことを特徴とする積み重ね用間隔保持部を備えたハット形鋼矢板。
【請求項２】
ウェブ部の両端に一対のフランジ部が連設され、前記フランジ部の他端にアーム部が連設されると共に、そのアーム部の先端に継手部を設けた断面ハット形であり、熱間圧延加工により製造されるハット形鋼矢板において、
継手部を除いた部位であって、前記ウェブ部に交差する重心軸を境として一方及び他方に、それぞれ少なくとも１つの部材長手方向に連続する積み重ね用間隔保持部を、部材の板厚を厚くして一体に設けたことを特徴とする積み重ね用間隔保持部を備えたハット形鋼矢板。
【請求項３】
前記ウェブ部と前記フランジ部との連設部に位置する隅角部、又は、前記アーム部と前記フランジ部との連設部に位置する隅角部に、
前記ハット形鋼矢板の溝の外側又は内側に向けて断面凸状に形成された隅角部用の積み重ね用間隔保持部を備えていることを特徴とする請求項２に記載の積み重ね用間隔保持部を備えたハット形鋼矢板。
【請求項４】
前記ウェブ部と前記フランジ部との連設部に位置する隅角部、又は、前記アーム部と前記フランジ部との連設部に位置する隅角部に、
積み重ね用間隔保持部を設けない場合においてハット形鋼矢板を積重ねた場合における上下の一方のハット形鋼矢板の隅角部に対面する他方のハット形鋼矢板の隅角部のＲ部に接する直線でフランジ部とウェブ部までの直線であって、ウェブとなす角度Ａが０度を超え、かつフランジ部とアーム部とのなすフランジ角度未満にある前記直線を内包するように、前記一方の鋼矢板の隅角部に内側に向かって突出する隅角部用の積み重ね用間隔保持部を備えていることを特徴とする請求項２に記載の積み重ね用間隔保持部を備えたハット形鋼矢板。
【請求項５】
両側の各フランジ部に、
積み重ね用間隔保持部を設けない場合においてハット形鋼矢板を積重ねた場合における上下のハット形鋼矢板のフランジ相互間のフランジに直角な方向のフランジ間隔（Ｇ１）よりも大きい高さ寸法を有するフランジ部用の積み重ね用間隔保持部を一体に設けたことを特徴とする請求項１〜４の何れか１項に記載の積み重ね用間隔保持部を備えたハット形鋼矢板。
【請求項６】
両側の各アーム部に、
積み重ね用間隔保持部を設けない場合においてハット形鋼矢板を積重ねた場合における上下のハット形鋼矢板のアーム部相互間のアーム部に直角な方向のアーム部間隔（Ｇ２）よりも大きい高さ寸法を有するアーム部用の積み重ね用間隔保持部を一体に設けたことを特徴とする請求項２〜４の何れか１項に記載の積み重ね用間隔保持部を備えたハット形鋼矢板。
【請求項７】
前記ウェブ部に、
積み重ね用間隔保持部を設けない場合においてハット形鋼矢板を積重ねた場合における上下のハット形鋼矢板のウェブ部相互間のウェブ部に直角な方向のウェブ部間隔（Ｇ３）よりも大きい高さ寸法を有するウェブ部用の積み重ね用間隔保持部を一体に設けたことを特徴とする請求項２〜４の何れか１項に記載の積み重ね用間隔保持部を備えたハット形鋼矢板。
【請求項８】
前記ウェブ部と前記フランジ部との連設部に位置する隅角部、前記アーム部と前記フランジ部との連設部に位置する隅角部、ウェブ部、フランジ部又はアーム部の表裏両面に積み重ね用間隔保持部が一体に設けられていることを特徴とする請求項１〜７の何れか１項に記載の積み重ね用間隔保持部を備えたハット形鋼矢板。
【請求項９】
請求項１〜８の何れかの積み重ね用間隔保持部を備えたハット形鋼矢板を上下に積み重ねる方法において、上位に位置するハット形鋼矢板は、下位に位置するハット形鋼矢板の積み重ね用間隔保持部により支持され、かつ上位に位置するハット形鋼矢板の継手部と、下位に位置するハット形鋼矢板の継手部とが接触しないように間隙を介して積み重ねられることを特徴とする積み重ね用間隔保持部を備えたハット形鋼矢板の積み重ね方法。
【請求項１０】
請求項９の積み重ね用間隔保持部を備えたハット形鋼矢板の積み重ね方法により、複数積み重ねられたハット形鋼矢板群と、枕木とを交互に積み重ねるハット形鋼矢板の積み重ね方法において、ハット形鋼矢板群の中で継手部が枕木に接するハット形鋼矢板が水平状態を保持しない場合に、それ以外のハット形鋼矢板を水平状態とすることで、そのハット形鋼矢板上に載置される枕木を水平状態に保持することを特徴とする積み重ね用間隔保持部を備えたハット形鋼矢板の積み重ね方法。
【発明の詳細な説明】
【技術分野】
【０００１】
本発明は、鋼矢板に関するもので、土木建築分野における土留め、基礎構造、港湾河川の護岸・岸壁、さらには止水壁に用いる構造部材としての鋼矢板のうち、特に、積み重ね間隔を確保可能な間隔保持部を備えたハット形鋼矢板及びその積み重ね方法に関する。
【背景技術】
【０００２】
従来、鋼矢板として、ハット形鋼矢板あるいはＵ形鋼矢板等の各種の鋼矢板が知られているが、これらの鋼矢板を積み重ねる場合の課題として、次の（１）（２）の課題があることが知られている。
【０００３】
（１）特に、図３１あるいは図３２に示すように、ハット形鋼矢板２は、左右の継手部の高さレベルが異なるようなハット形鋼矢板２で、左右で高さの異なる継手部を積み重ねる場合（図３３〜図３４には積み重ねた場合が示されている。）、上下のハット形鋼矢板における継ぎ手部６が接触し、左右の継手部の水平が保てないため、継手部６が変形しやすいといった問題があることが知られている。
また、前記のようなハット形鋼矢板２は、図３０に示すように、ハット形鋼矢板２を積み重ねるごとに傾きが累積するため、積み重ねの安定性が少ないと共に、高く積み重ねることができず積載効率が悪いという問題があることも知られている。
【０００４】
また、図３７に示すように、（２）継手部が接触しないＵ形鋼矢板２３であっても、積重ね段数が増えるにつれ、鋼矢板の自重により、くさび作用によるはまり込みが生じ、Ｕ形鋼矢板の分離が困難になる場合があることも知られている。
【０００５】
上記（１）の問題を解消するための技術として、次の（Ａ）（Ｂ）のような鋼矢板が知られている。
（Ａ）鋼矢板におけるフランジ部の傾きを調整することで、鋼矢板相互の積み重ね間隔を一定とすることを可能にした鋼矢板（例えば、特許文献１参照）、あるいは（Ｂ）フランジ部の長手方向に段重ね相手の継手部を座らせるための凹状段差部を設置させた鋼矢板（例えば、特許文献２参照）も知られている。
【０００６】
また、上記（２）の問題点を解消するための技術として次の（Ｃ）のような技術がある。（Ｃ）鋼矢板のフランジ部の長手方向に、段重ね相手の継手部を座らせるための突起を形成させたＵ字形鋼矢板（例えば特許文献３参照、実開昭６２−９９６３１号公報）も知られている。
【０００７】
前記以外にも、図２９または図３５および図３６に示すように、鋼矢板の積重ね間隔を保持するために、ハット形鋼矢板２のウェブ部３またはアーム部５に木材２４を単に置いて積み重ねる方法も知られている。
【０００８】
次に、前記のハット形鋼矢板２の形状上の特徴について、図３１および図３２を参照して説明する。
図示形態のハット形鋼矢板２は、ウェブ部３の両側に外側に向かって傾斜するようにフランジ部４が一体に設けられ、そのフランジ部４に一体に、前記ウェブ部３に平行にアーム部５が設けられ、そのアーム部５の先端部に熱間圧延により成型加工された継手部６が設けられ、左右の継手部のうち、一方の継手部６と、他方の継手部６は、点対称の形状となるようにされている。
また、アーム部５に一体に形成された継手部６は、アーム部５の平坦面に対して直角な方向に突出する突出部を備えており、継手開口溝７側でその継手開口溝７に接続している基端側突出部１９と、継手開口溝７を形成している継手本体部１０の前記継手開口溝７と反対側の面で、継手本体部１０による突出部とで、基端側突出部１９による突出量Ｔ１と、継手部６の上部の継手本体部１０の上方への突出量Ｔ２とは、異なる突出量とされている。
そのため、このようなハット形鋼矢板２を積み重ねて仮置きする場合、図３３、３４に示すように、幅方向端部の継手部６が上下方向で接触した状態となるため、継手部６が、変形あるいは損傷する恐れがある。また、上下に重ねられた矢板相互は、爪先端部と爪先端部背面側との接触となり、上位に位置する鋼矢板２における基端側突出部１９は、下位に位置する鋼矢板２における継手本体部１０よりも若干下方に位置し、これに係合可能な鋼矢板幅方向の位置であるので、上位に位置する鋼矢板２における継手部６は、前記の係合可能な方向とは逆方向（矢印で示す方向）に崩れる恐れもある方向特性のある鋼矢板２である特徴を有している。
【０００９】
前記ハット形鋼矢板２は、熱間圧延加工による圧延鋼材であり、継手部６が複雑な形状に成型され、継手部６の強度が高められている鋼矢板であり、従来公知の一枚の鋼板を冷間曲げ加工により製作された鋼矢板とは、継手部を含めた鋼矢板全体としての曲げ剛性が高められている。
前記ハット形鋼矢板２は、継手部６が複雑な形状に成型され、継手部６が相互に離脱しないように嵌合強度が高められている鋼矢板であり、一枚の鋼板を冷間曲げ加工により形成された冷間成型による鋼矢板とは、異なった方法で製造される鋼矢板である。
【００１０】
この他、鋼矢板の積み重ね安定性の確保を目的としたものではなく、またハット形鋼矢板に対するものでもないが、鋼矢板の隅角部の形状に関する技術として次の（Ｄ）あるいは（Ｅ）のような技術も知られている。（Ｄ）Ｕ形鋼矢板の隅角部を平坦化させて打ち込み抵抗を低減させる技術（例えば、特許文献４参照）、あるいは（Ｅ）Ｚ形鋼矢板の隅角部に延長部を設けて断面剛性を増加させる技術（例えば、特許文献５参照）も知られている。
【先行技術文献】
【特許文献】
【００１１】
【特許文献１】特開２００５−１０５５５２号公報
【特許文献２】特開２００５−９８０２４号公報
【特許文献３】実開昭６２−９９６３１号公報
【特許文献４】特表２００１−５０２７６７号公報
【特許文献５】特表２０００−５０８７２８号公報
【特許文献６】特許第３４５８１０９号公報
【発明の概要】
【発明が解決しようとする課題】
【００１２】
前記（Ａ）の鋼矢板におけるフランジ部の傾きを調整することで、鋼矢板相互の積み重ね間隔を一定とする方法では、上位のハット形鋼矢板と下位のハット形鋼矢板の継手が接触しないように間隔を確保しようとした場合、例えば図３８（ａ）（ｂ）に示す市販されている高さの異なる通常の２形態のハット形鋼を例にして検討すると、同図の（ａ−１）〜（ａ−３）あるいは（ｂ−１）〜（ｂ−３）に示すように、フランジ部の傾斜角度であるフランジ角度は、例えば７５°〜８５°程度、好ましくは８０°〜８５°と大きくなる。フランジ部の傾きは、効率的な断面性能を発揮するための因子であることが知られており（例えば、特許文献６参照）、実用に提供されているハット形鋼矢板のフランジ角度は、特許文献１に図示される形状よりも小さいものとなっている。フランジ角度を大きなものに限定することは、効率的な断面性能発揮（少ない鋼材重量でより高い断面性能を発揮すること）を阻害することになる。また、フランジ角度が大きくなると、ハット形鋼矢板の幅寸法が小さくなるから、単位長さあたりの打設枚数が多くなるという問題がある。したがって、ハット形鋼矢板におけるウェブ部の両側に位置するフランジ部の傾斜角度は、打設枚数を少なくし経済的な壁体を構成する上では、７５°未満で、例えば７５°未満〜４０°、より好ましくは、６５°〜４５°の傾斜角度であると、打ち込み枚数が少なくなり、経済的な矢板壁等を構築することができるので望ましい。
【００１３】
また、前記（Ｂ）（Ｃ）の技術はＵ字形状鋼矢板に関するものであるが、前記（Ａ）の技術１と同様、これをハット形鋼矢板に適用して、図２８に示すように、積み重ね時に上位のハット形鋼矢板２を座らせるための平坦な支承面２０を有する段差または突起２１を形成させた場合について考えると、前記（Ａ）の技術のハット形鋼矢板より、通常のハット形鋼矢板はフランジ角度が小さく、積み重ね時に上位のハット形鋼矢板２と下位のハット形鋼矢板２とのフランジ間隔Ｇは大きいものとなる。このため、段差または突起２１に座らせるのでは、フランジ間隔Ｇが大きくなる分だけ、上位に位置するハット形鋼矢板２が水平移動してしまうため、荷崩れの危険性があるという問題がある。
【００１４】
前記（Ｄ）の技術のように、隅角部内側の平坦部を設けるのみ、あるいは前記（Ｅ）の技術のように、隅角部に延長部を設けるのみでは、ハット形鋼矢板に生じる積み重ね時に継手同士が接触するという課題に対し、必要な積み重ね間隔を確保できない。
【００１５】
前記（Ｃ）の技術の方法では、孔型ロールを用いた熱間圧延の後に、左右の突起付き堅ロールを用いた圧延を追加するため、製造コスト、追加ロール分の設備費がかさむ問題がある。
【００１６】
鋼矢板はトラックまたは船を用いて輸送されるが、ウェブ部に木材等の間隔保持部材を置く方法では、施工現場及び輸送中継地での荷降し・積替え等において、間隔保持部材をウェブ部に再設置する手間が都度発生し非効率となる問題がある。
【００１７】
本発明は前記の課題を有利に解消した積み重ね用間隔保持部を備えたハット形鋼矢板およびその積み重ね方法を提供することを目的とする。
【課題を解決するための手段】
【００１８】
前記の課題を有利に解決するために、第１発明の積み重ね用間隔保持部を備えたハット形鋼矢板では、ウェブ部の両端に一対のフランジ部が連設され、前記フランジ部の他端にアーム部が連設されると共に、そのアーム部の先端に継手部を設けた断面ハット形であり、熱間圧延加工により製造されるハット形鋼矢板において、前記ウェブ部と前記フランジ部との連設部に位置する隅角部と前記アーム部と前記フランジ部との連設部に位置する隅角部との中間部のみであって、前記ウェブ部に交差する重心軸を境として一方及び他方に、それぞれ少なくとも１つの部材長手方向に連続する積み重ね用間隔保持部を一体に設けたことを特徴とする。
また、第２発明の積み重ね用間隔保持部を備えたハット形鋼矢板では、ウェブ部の両端に一対のフランジ部が連設され、前記フランジ部の他端にアーム部が連設されると共に、そのアーム部の先端に継手部を設けた断面ハット形であり、熱間圧延加工により製造されるハット形鋼矢板において、継手部を除いた部位であって、前記ウェブ部に交差する重心軸を境として一方及び他方に、それぞれ少なくとも１つの部材長手方向に連続する積み重ね用間隔保持部を、部材の板厚を厚くして一体に設けたことを特徴とする。
また、第３発明では、第２発明の積み重ね用間隔保持部を備えたハット形鋼矢板において、前記ウェブ部と前記フランジ部との連設部に位置する隅角部、又は、前記アーム部と前記フランジ部との連設部に位置する隅角部に、前記ハット形鋼矢板の溝の外側又は内側に向けて断面凸状に形成された隅角部用の積み重ね用間隔保持部を備えていることを特徴とする。
第４発明では、第２発明の積み重ね用間隔保持部を備えたハット形鋼矢板において、前記ウェブ部と前記フランジ部との連設部に位置する隅角部、又は、前記アーム部と前記フランジ部との連設部に位置する隅角部に、積み重ね用間隔保持部を設けない場合においてを積重ねた場合における上下の一方のハット形鋼矢板の隅角部に対面する他方のハット形鋼矢板の隅角部のＲ部に接する直線でフランジ部とウェブ部までの直線であって、ウェブとなす角度Ａが０度を超え、かつフランジ部とアーム部とのなすフランジ角度未満にある前記直線を内包するように、前記一方の鋼矢板の隅角部に内側に向かって突出する隅角部用の積み重ね用間隔保持部を備えていることを特徴とする。
また、第５発明では、第１発明〜第４発明の何れかの積み重ね用間隔保持部を備えたハット形鋼矢板において、両側の各フランジ部に、積み重ね用間隔保持部を設けない場合においてハット形鋼矢板を積重ねた場合における上下のハット形鋼矢板のフランジ相互間のフランジに直角な方向のフランジ間隔（Ｇ１）よりも大きい高さ寸法を有するフランジ部用の積み重ね用間隔保持部を一体に設けたことを特徴とする。
また、第６発明では、第２発明〜第４発明の何れかの積み重ね用間隔保持部を備えたハット形鋼矢板において、両側の各アーム部に、積み重ね用間隔保持部を設けない場合においてハット形鋼矢板を積重ねた場合における上下のハット形鋼矢板のアーム部相互間のアーム部に直角な方向のアーム部間隔（Ｇ２）よりも大きい高さ寸法を有するアーム部用の積み重ね用間隔保持部を一体に設けたことを特徴とする。
第７発明では、第２発明〜第４発明の何れかの積み重ね用間隔保持部を備えたハット形鋼矢板において、前記ウェブ部に、積み重ね用間隔保持部を設けない場合においてハット形鋼矢板を積重ねた場合における上下のハット形鋼矢板のウェブ部相互間のウェブ部に直角な方向のウェブ部間隔（Ｇ３）よりも大きい高さ寸法を有するウェブ部用の積み重ね用間隔保持部を一体に設けたことを特徴とする。
第８発明では、第１発明〜第７発明の何れかの積み重ね用間隔保持部を備えたハット形鋼矢板において、前記ウェブ部と前記フランジ部との連設部に位置する隅角部、前記アーム部と前記フランジ部との連設部に位置する隅角部、ウェブ部、フランジ部又はアーム部の表裏両面に積み重ね用間隔保持部が一体に設けられていることを特徴とする。
第９発明の積み重ね用間隔保持部を備えたハット形鋼矢板の積み重ね方法では、第１発明〜第８発明の何れかの積み重ね用間隔保持部を備えたハット形鋼矢板を上下に積み重ねる方法において、上位に位置するハット形鋼矢板は、下位に位置するハット形鋼矢板の積み重ね用間隔保持部により支持され、かつ上位に位置するハット形鋼矢板の継手部と、下位に位置するハット形鋼矢板の継手部とが接触しないように間隙を介して積み重ねられることを特徴とする。
第１０発明の積み重ね用ハット形鋼矢板の積み重ね方法では、第９発明の積み重ね用間隔保持部を備えたハット形鋼矢板の積み重ね方法により、複数積み重ねられたハット形鋼矢板群と、枕木とを交互に積み重ねるハット形鋼矢板の積み重ね方法において、ハット形鋼矢板群の中で継手部が枕木に接するハット形鋼矢板が水平状態を保持しない場合に、それ以外のハット形鋼矢板を水平状態とすることで、そのハット形鋼矢板上に載置される枕木を水平状態に保持することを特徴とする。
【発明の効果】
【００１９】
本発明によると、熱間圧延加工により製造されるハット形鋼矢板において、継手部を除いた部位であって、前記ウェブ部に交差する重心軸を境として一方及び他方に、それぞれ少なくとも１つの部材長手方向に連続する積み重ね用間隔保持部を一体に設けることによって、従来のようにハット形鋼矢板のフランジ部の角度によらず、ハット形鋼矢板を積み重ねる場合に、一定の積み重ね間隔を確実に保持することができ、間隔保持部を備えた上下のハット形鋼矢板の継手部相互間に間隙を確実に形成してこれらの干渉による継手部の変形あるいは損傷を防止することができる。
また、予め各ハット形鋼矢板に間隔保持部を設けているので、従来のように木材を手作業等により矢板間に、現場あるいは中継地において積み重ねる必要がないため、積み重ね作業が容易になる。また、新たな特殊な孔型ロールを準備して加工することなく、熱間圧延加工により間隔保持部を連続して設けたハット形鋼矢板とすることができる。
また、第１発明によると、継手部を除いた部位に対し、左右の重量がバランスする重心軸（左右重心軸）の、左側及び右側のそれぞれに１箇所ずつ以上の間隔保持部を有し、少なくとも２点以上で上方の鋼矢板を支持することができる積み重ね用間隔保持部を備えたハット形鋼矢板とすることができる。
また、積み重ね用間隔保持部を設けない場合においてハット形鋼矢板を積重ねた場合における上下のハット形鋼矢板のフランジ相互間のフランジに直角な方向のフランジ間隔（Ｇ１）よりも大きい高さ寸法、またはアーム部相互間のアーム部に直角な方向のアーム部間隔（Ｇ２）よりも大きな高さ寸法、あるいはウェブ相互間のウェブに直角な方向のウェブ間間隔（Ｇ３）よりも大きな高さ寸法の積み重ね用間隔保持部を、ウェブ部とフランジ部との連設部に位置する隅角部あるいはフランジ部に位置する隅角部、あるいはフランジ部とアーム部との連設部に位置する隅角部に設けることにより、ハット形鋼矢板を積み重ねる場合に、一定の積み重ね間隔を確実に保持することができ、間隔保持部を備えた上下のハット形鋼矢板の継手部相互間に間隙を確実に形成してこれらの干渉による継手部の変形あるいは損傷を防止することができる。
また、前記ウェブ部と前記フランジ部との連設部に位置する隅角部、および、前記アーム部と前記フランジ部との連設部に位置する隅角部に、積み重ね用間隔保持部を設けない場合においてハット形鋼矢板を積重ねた場合における上下の一方のハット形鋼矢板の隅角部（例えば内隅部）に対面する他方のハット形鋼矢板の隅角部（外隅部）のＲ部に接する直線でフランジ部とウェブ部までの直線であって、ウエブとなす角度Ａが０度を超え、かつフランジ部とアーム部とのなすフランジ角度未満にある前記直線を内包するように、前記一方の鋼矢板の隅角部（内隅部）に内側に向かって突出する隅部用の積み重ね用間隔保持部を備えていることにより、ハット形鋼矢板を積み重ねる場合に、一定の積み重ね間隔を確実に保持することができ、間隔保持部を備えた上下のハット形鋼矢板の継手部相互間に間隙を確実に形成してこれらの干渉による継手部の変形あるいは損傷を防止することができる。
前記の場合に、ウェブ部とフランジ部との連設部あるいはフランジ部とアーム部との連設部における隅角部に、ハット形鋼矢板の溝外側あるいは溝内側に、突出する間隔保持部を設けた隅角部を、少なくとも２箇所設けることによって、フランジ傾きに制限されることなく、また、平置き（ひらおき）したときに水平状態とならないハット形鋼矢板に対しても、継手同士があたらないだけの積み重ね間隔の保持が可能となり、効率的な積み重ねが可能となる。
積み重ねた場合の間隔保持のためには、少なくとも２箇所の隅角部で、凸状または凹状の間隔保持部を設ければよいが、ハット形鋼矢板では最大４箇所の隅角部に間隔保持部を設けることができ、４点の支持によって、積載荷重が分散され、積載荷重による鋼矢板の断面変形が少なく、さらに安定した鋼矢板の積み重ねが可能となる。
凸状の積み重ね用間隔保持部を設ける場合で、効率的な断面性能向上のためには、フランジ部に設けるよりは、隅角部に設けた方が、中立軸から最も離れた位置（最外縁）に位置するため、曲げ剛性が高まり効率的な断面性能の向上にも寄与できる。
また、積重ね用間隔保持部が鋼矢板の表裏両面に一体に設けられている積み重ね用間隔保持部を備えたハット形鋼矢板であると、表面側の積重ね用間隔保持部あるいは裏面の積重ね用間隔保持部を利用して、積み重ね用間隔保持部を備えたハット形鋼矢板を積み重ねることができる。
また、本発明の積み重ね方法によると、上位に位置するハット形鋼矢板は、下位に位置するハット形鋼矢板における積み重ね用間隔保持部により支持され、かつ上位に位置するハット形鋼矢板における継手部と、下位に位置するハット形鋼矢板における継手部とが接触しないように間隙を介して積み重ねられるので、下位の積み重ね用間隔保持部を備えたハット形鋼矢板における積み重ね用間隔保持部により上位の積み重ね用間隔保持部を備えたハット形鋼矢板を安定した状態で確実に支持し、かつ上下の積み重ね用間隔保持部を備えたハット形鋼矢板における継手部相互が干渉して、変形あるいは損傷することなく積み重ねることができる。
また、本発明の積み重ね方法によると、複数積み重ねられたハット形鋼矢板群と、枕木とを交互に積み重ねるハット形鋼矢板の積み重ね方法において、積み重ねた一つのハット形鋼矢板が水平状態を保持しない場合に、これに積み重ねられるハット形鋼矢板を水平状態とすることで、そのハット形鋼矢板上に載置される枕木を水平状態とすることで、その水平状態を保持しないハット形鋼矢板上に載置されるハット形鋼矢板あるいは枕木を水平状態に保持することができ、ハット形鋼矢板を安定した状態で積み重ねることができる。
【図面の簡単な説明】
【００２０】
【図１】（ａ）および（ｂ）は本発明の積み重ね用間隔保持部を備えたハット形鋼矢板の第１実施形態およびそのハット形鋼矢板を３枚積み重ねた状態を示す正面図である。
【図２】（ａ）および（ｂ）は本発明の積み重ね用間隔保持部を備えたハット形鋼矢板の第２実施形態およびそのハット形鋼矢板を３枚積み重ねた状態を示す正面図である。
【図３】本発明の積み重ね用間隔保持部を備えたハット形鋼矢板の第３実施形態およびそのハット形鋼矢板を３枚積み重ねた状態を示す正面図である。
【図４】（ａ）および（ｂ）は本発明のハット形鋼矢板を説明するための説明図である。
【図５】（ａ）および（ｂ）は本発明のハット形鋼矢板を説明するための説明図である。
【図６】（ａ）〜（ｆ）は本発明のハット形鋼矢板を説明するための説明図である。
【図７】本発明の積み重ね用間隔保持部を備えたハット形鋼矢板の第４実施形態および第５実施形態並びに各ハット形鋼矢板を３枚積み重ねた状態を示す正面図である。
【図８】（ａ）および（ｂ）は図７に示す本発明のハット形鋼矢板を説明するための説明図である。
【図９】（ａ）〜（ｆ）は本発明のハット形鋼矢板を説明するための説明図である。
【図１０】（ａ）および（ｂ）は本発明のハット形鋼矢板を説明するための説明図である。
【図１１】（ａ）および（ｂ）は本発明の積み重ね用間隔保持部を備えたハット形鋼矢板の第６実施形態および第７実施形態並びに各ハット形鋼矢板を５枚積み重ねた状態を示す正面図である。
【図１２】（ａ）および（ｂ）は本発明の積み重ね用間隔保持部を備えたハット形鋼矢板の第８実施形態および第９実施形態並びに各ハット形鋼矢板を５枚積み重ねた状態を示す正面図である。
【図１３】（ａ）および（ｂ）は本発明の積み重ね用間隔保持部を備えたハット形鋼矢板の第１０実施形態および第１１実施形態並びに各ハット形鋼矢板を５枚積み重ねた状態を示す正面図である。
【図１４】（ａ）および（ｂ）は本発明の積み重ね用間隔保持部を備えたハット形鋼矢板の第１２実施形態および第１３実施形態並びに各ハット形鋼矢板を５枚積み重ねた状態を示す正面図である。
【図１５】（ａ）および（ｂ）は本発明の積み重ね用間隔保持部を備えたハット形鋼矢板の第１４実施形態および第１５実施形態並びに各ハット形鋼矢板を５枚積み重ねた状態を示す正面図である。
【図１６】（ａ）および（ｂ）は本発明の積み重ね用間隔保持部を備えたハット形鋼矢板の第１６実施形態および第１７実施形態並びに各ハット形鋼矢板を５枚積み重ねた状態を示す正面図である。
【図１７】（ａ）および（ｂ）は本発明の積み重ね用間隔保持部を備えたハット形鋼矢板の第１８実施形態および第１９実施形態並びに各ハット形鋼矢板を５枚積み重ねた状態を示す正面図である。
【図１８】（ａ）および（ｂ）は本発明の積み重ね用間隔保持部を備えたハット形鋼矢板の第２０実施形態および第２１実施形態並びに各ハット形鋼矢板を５枚積み重ねた状態を示す正面図である。
【図１９】（ａ）および（ｂ）は本発明の積み重ね用間隔保持部を備えたハット形鋼矢板の第２２実施形態および第２３実施形態並びに各ハット形鋼矢板を５枚積み重ねた状態を示す正面図である。
【図２０】（ａ）および（ｂ）は本発明の積み重ね用間隔保持部を備えたハット形鋼矢板の第２４実施形態および第２５実施形態並びに各ハット形鋼矢板を５枚積み重ねた状態を示す正面図である。
【図２１】（ａ）および（ｂ）は本発明の積み重ね用間隔保持部を備えたハット形鋼矢板の第２６実施形態および第２７実施形態並びに各ハット形鋼矢板を５枚積み重ねた状態を示す正面図である。
【図２２】（ａ）および（ｂ）は本発明の積み重ね用間隔保持部を備えたハット形鋼矢板の第２８実施形態および第２９実施形態並びに各ハット形鋼矢板を５枚積み重ねた状態を示す正面図である。
【図２３】本発明の積み重ね用間隔保持部を備えたハット形鋼矢板の第３０実施形態およびそのハット形鋼矢板を５枚積み重ねた状態を示す正面図である。
【図２４】（ａ）および（ｂ）は本発明の積み重ね用間隔保持部を備えたハット形鋼矢板の第３１実施形態および第３２実施形態並びに各ハット形鋼矢板を５枚積み重ねた状態を示す正面図である。
【図２５】（ａ）および（ｂ）は本発明の積み重ね用間隔保持部を備えたハット形鋼矢板の第３３実施形態および第３４実施形態並びに各ハット形鋼矢板を５枚積み重ねた状態を示す正面図である。
【図２６】（ａ）および（ｂ）は本発明の積み重ね用間隔保持部を備えたハット形鋼矢板の第３５実施形態および第３６実施形態並びに各ハット形鋼矢板を５枚積み重ねた状態を示す正面図である。
【図２７】ハット形鋼矢板におけるフランジ角を説明するための説明図である。
【図２８】従来のハット形鋼矢板の第１例を説明するための正面図である。
【図２９】従来のハット形鋼矢板を木製の間隔保持材を使用して積み重ねる場合の説明図である。
【図３０】従来のハット形鋼矢板を、間隔保持材を使用しないで積み重ねた場合の説明図である。（ａ）（ｂ）（ｃ）は一部縦断側面図である。
【図３１】本発明において使用するハット形鋼矢板を示す正面図である。
【図３２】図３２における継手部を拡大して示す正面図である。
【図３３】従来のハット形鋼矢板を積み重ねる場合の形態を示す正面図である。
【図３４】従来のハット形鋼矢板を積み重ねる場合の他の形態を示す正面図である。
【図３５】従来のハット形鋼矢板を木材を利用して積み重ねる場合の形態を示す正面図である。
【図３６】従来のハット形鋼矢板を木材を利用して積み重ねる場合の他の形態を示す正面図である。
【図３７】従来のＵ形鋼矢板を積み重ねる場合の形態を示す側面図である。
【図３８】鋼矢板におけるフランジ部の傾きを調整することで、鋼矢板相互の積み重ね間隔を一定とする場合のフランジ角度についての説明図である。
【発明を実施するための形態】
【００２１】
次に、本発明を図示の実施形態に基づいて詳細に説明する。
【００２２】
先ず、積み重ね用間隔保持部を備えていないハット形鋼矢板２の形状上の特徴について、図 ３１および図３２を参照して、最初に説明する。
図示形態のハット形鋼矢板２は、ウェブ部３の両側に外側に向かって傾斜するようにフランジ部４が一体に設けられ、そのフランジ部４に一体に、前記ウェブ部３に平行にアーム部５が設けられ、そのアーム部５の先端部に熱間圧延により成型加工された継手部６が設けられ、左右の継手部のうち、一方の継手部６と、他方の継手部６は、点対称の形状となるようにされている。
また、アーム部５に一体に形成された継手部６は、アーム部５の平坦面に対して直角な方向に突出する突出部を備えており、継手開口溝７側でその継手開口溝７に接続している基端側突出部１９と、継手開口溝７を形成している継手本体部１０の前記継手開口溝７と反対側の面で、継手本体部１０による突出部とで、基端側突出部１９による突出量Ｔ１と、継手部６の上部の継手本体部１０の上方への突出量Ｔ２とは、異なる突出量とされている。
そのため、このようなハット形鋼矢板２を積み重ねて仮置きする場合、図３３、３４に示すように、幅方向端部の継手部６が上下方向で接触した状態となるため、継手部６が、変形あるいは損傷する恐れがある。また、上下に重ねられた矢板相互は、爪先端部と爪先端部背面側との接触となり、上位に位置する鋼矢板２における基端側突出部１９は、下位に位置する鋼矢板２における継手本体部１０よりも若干下方に位置し、これに係合可能な鋼矢板幅方向の位置であるので、上位に位置する鋼矢板２における継手部６は、前記の係合可能な方向とは逆方向（矢印で示す方向）に崩れる恐れもある方向特性のある鋼矢板２である特徴を有している。
【００２３】
次に、本発明の積み重ね用間隔保持部を備えたハット形鋼矢板の共通する特徴について説明する。本発明においても、前記と同様に熱間圧延加工により製造されるハット形鋼矢板であり、ウェブ部の両端に一対のフランジ部が連設され、前記フランジ部の他端にアーム部が連設されると共に、そのアーム部の先端に継手部を設けた断面ハット形であり、熱間圧延加工により製造されるハット形鋼矢板である。
【００２４】
そして、図１および参考図４（ａ）（図４ａではハット形鋼矢板２に示す）に示すように、本発明の積み重ね用間隔保持部を備えたハット形鋼矢板１では、積み重ね用間隔保持部８は、継手部６を除いた部位であって、前記ウェブ部に交差する重心軸Ｇを境として一方（左側）及び他方（右側）に、それぞれ少なくとも１つの部材長手方向に連続する積み重ね用間隔保持部を一体に設けるようにしている。
【００２５】
さらに説明すると、積み重ね用間隔保持部を設ける位置は、重心軸Ｇを境として図４（ｂ）のウェブ部３に一点鎖線で示すように左右にそれぞれ一つずつ設けるようにしてもよく、同図のフランジ部４に一点鎖線で示すようにそれぞれ一つずつ設けるようにしてもよく、同図のアーム部５に２点鎖線で示すように、それぞれ一つずつ設けるようにしてもよく、同図のウェブ部３とフランジ部４の連設部に位置する隅角部９あるいはフランジ部４とアーム部５の連設部に位置する隅角部１１に点線で示す部分に積み重ね用間隔保持部を設けるようにしている。
なお、本発明における積み重ね用間隔保持部を備えたハット形鋼矢板１においては、継手部６を除いた部位であって、前記ウェブ部に交差する重心軸Ｇを境として一方（左側）及び他方（右側）に、それぞれ少なくとも１つの部材長手方向に連続する積み重ね用間隔保持部を一体に設けていればよく、重心軸Ｇを境として一方が、ウェブ部３またはフランジ部４あるいはアーム部５さらには隅角部９，１１のうちの少なくとも１箇所で、重心軸Ｇを境として他方が、前記ウェブ部３またはフランジ部４あるいはアーム部５さらには隅角部９，１１のうちの少なくとも１箇所であればよい。
一方の積み重ね用間隔保持部８がハット形鋼矢板１の片面（溝と反対側の表面）にあり、他方が裏面（溝側の裏面）にあってもよく、これ以上、３つ、４つと積み重ね用間隔保持部８を多数設ける場合には、積み重ね用間隔保持部８が鋼矢板の表裏で位置がずれていても、表裏で対称等、表裏同じ位置に設けてもよい。
【００２６】
（第１実施形態）
そして、図１（ａ）（ｂ）に示す第１実施形態の積み重ね用間隔保持部を備えたハット形鋼矢板１では、前記ウェブ部と前記フランジ部との連設部に位置する隅角部、および、前記アーム部と前記フランジ部との連設部に位置する隅角部に、積み重ね用間隔保持部８を一体に設けた形態の積み重ね用間隔保持部を備えたハット形鋼矢板１とされている。
前記の積み重ね用間隔保持部８の高さ寸法Ｈは、図５（ｂ）に積み重ね用間隔保持部を設けない場合においてハット形鋼矢板を積重ねた場合で上下の継手部６が接触している場合を示すように、このような場合における上下のハット形鋼矢板２のフランジ相互間のフランジに直角な方向のフランジ間隔（Ｇ１）よりも大きい高さ寸法Ｈとされ、このような高さ寸法Ｈを有する隅角部用の積み重ね用間隔保持部８を一体に設けた積み重ね用間隔保持部を備えたハット形鋼矢板１とされている。
【００２７】
積み重ね用間隔保持部８を設けない場合においてハット形鋼矢板を積重ねた場合で上下の継手部６が接触している場合では、前記のようにフランジ相互間ではフランジ間隔（Ｇ１）を有し、ウェブ部３相互間では、ウェブ部間隔（Ｇ２）を有し、アーム部５相互間では、アーム部間隔（Ｇ３）を有している。したがって、前記のような部位に積み重ね用間隔保持部８を設ける場合には、これらの高さ寸法よりも大きい高さ寸法の積み重ね用間隔保持部８であればよい。
【００２８】
そして、図１（ａ）では、ウェブ部３とフランジ部４とが連設される隅角部９に、ウェブ部３からほぼ水平に張出すように、積み重ね用間隔保持部８が設けられている形態の積み重ね用間隔保持部を備えたハット形鋼矢板１が３枚積み重ねた状態が示され、下位の積み重ね用間隔保持部を備えたハット形鋼矢板１における積み重ね用間隔保持部８により、上位に位置する積み重ね用間隔保持部を備えたハット形鋼矢板１のフランジ部４を支承するようにされている。
なお、前記の積み重ね用間隔保持部８の先端部１３は、断面弧状または断面円弧状にされているので、下位に位置する積み重ね用間隔保持部を備えたハット形鋼矢板１が多少傾いた状態で配置されていても、上位に位置する積み重ね用間隔保持部を備えたハット形鋼矢板１を逆方向に傾かせて、上位に位置する積み重ね用間隔保持部を備えたハット形鋼矢板１の上面を水平に配置することができる（以下の実施形態でも同様である）。
【００２９】
積み重ね用間隔保持部を備えたハット形鋼矢板１を積み重ね配置する場合に、図１（ｂ）に示すように、ウェブ部３を下側に配置するようにして積み重ねてもよく、このような積み重ね形態でも前記のＧ１〜Ｇ３および積み重ね用間隔保持部８の高さは同様である。
【００３０】
（第２実施形態）
図２では、フランジ部４とアーム部５との連設部に位置する隅角部１１に、アーム部５からハット形鋼矢板の溝１２側にほぼ水平に張出すように、積み重ね用間隔保持部８が一体に連設された積み重ね用間隔保持部を備えたハット形鋼矢板１とされている。また、図２（ａ）では、そのような積み重ね用間隔保持部を備えたハット形鋼矢板１がアーム部５が下側となるように３枚積み重ねられた状態が、図２（ｂ）では、ウェブ部３が下側となる３枚積み重ねられた状態が示されている。
【００３１】
なお、図１あるいは図２に示すような積み重ね形態、あるいは図３３に示すように、施工現場あるいは搬送中継地等の仮置き場における地盤またはコンクリート支持盤等の支持部１５において、枕木１６を使用する積み重ね形態は、以下の実施形態でも同様に適用することができる。なお、図３３において、各枕木１６上面で、ハット形鋼矢板１のアーム部５裏面に対応する位置の部分に、必要に応じて、ブロック状の水平保持部材が載置され、各水平保持部材に渡って、最下端のハット形鋼矢板２（本発明の場合は、間隔保持部８を有するハット形鋼矢板１）における各アーム部５が載置され、継手部６が浮いた状態になる。
【００３２】
（第３実施形態）
図３に示す形態では、溝１２の外側におけるフランジ部４外面に、積み重ね用間隔保持部８が設けられている。積み重ね用間隔保持部８は、フランジ部４の幅方向いずれの位置でもよいが、対称位置に積み重ね用間隔保持部８を設けるようにするとよく、積み重ね用間隔保持部８を熱間圧延加工により形成する場合に、滑らかに変化する断面形状であると、熱間圧延加工上、形成が容易になり有利である。
【００３３】
なお、本発明で使用する積み重ね用間隔保持部を備えた前記ハット形鋼矢板２は、熱間圧延加工による圧延鋼材であり、継手部６が複雑な形状に成型され、継手部６の強度が高められている鋼矢板であり、従来公知の一枚の鋼板を冷間曲げ加工により製作された鋼矢板とは、継手部を含めた鋼矢板全体としての曲げ剛性が高められている。
前記積み重ね用間隔保持部を備えたハット形鋼矢板２は、熱間圧延加工による圧延鋼材であり、継手部６が複雑な形状に成型され、継手部６が相互に離脱しないようにかん合強度が高められている鋼矢板であり、一枚の鋼板を冷間曲げ加工により形成された冷間成型による鋼矢板とは、異なった方法で製造される鋼矢板である。
【００３４】
図６（ａ）に示すように、ウェブ部３とフランジ部４との接続部（またはフランジ部４とアーム部あるとの接続部）に位置する隅角部９，１１に、積み重ね用間隔保持部８を設ける場合、同図（ｂ）に示すように、ウェブ部３あるいはフランジ部４の板厚を厚くして、溝外側に部材長手方向に連続する断面凸状の積み重ね用間隔保持部８を設けてもよく、同図（ｃ）に示すように、溝内側に部材長手方向に連続する断面凸状の積み重ね用間隔保持部８を設けるようにしてもよい。
また、（ｄ）に示すように、板厚を変化させないで、凸形状の積み重ね用間隔保持部８を設けるようにしてもよい。また、図（ｅ）に示すように、溝１２側に突出すように、ウェブ部３とフランジ部４との連設部である隅角部９において、溝１２側に突出するように積み重ね用間隔保持部８を設けるようにしてもよい。
また、図６（ｆ）に示すように、積み重ね用間隔保持部を備えたハット形鋼矢板１において、鋼矢板の表裏両面に積重ね用間隔保持部８を設けるようにしてもよい。ウェブ部３とフランジ部４との隅角部９において、溝１２の内側に積み重ね用間隔保持部８を設けるとともに、溝１２の外側に積み重ね用間隔保持部８を平行に設けるようにしてもよい。このように、溝１２の両側に積み重ね用間隔保持部８を設けるようにしてもよい。フランジ部４とアーム部５との接続部に位置する隅角部１１においても同様である。
なお、図６（ｆ）の形態は、前記ウェブ部３と前記フランジ部４との連設部に位置する隅角部９ばかりでなく、前記アーム部５と前記フランジ部４との連設部に位置する隅角部１１、ウェブ部３、フランジ部４またはアーム部５の表裏両面に積み重ね用間隔保持部８を設けるようにしてもよい。このような形態の積み重ね用間隔保持部を備えたハット形鋼矢板１であると、積重ね用間隔保持部８を備えていない通常のハット形鋼矢板２と積み重ね用間隔保持部を備えたハット形鋼矢板１とを組み合わせて（例えば、交互に）積み重ねたりすることができ、またそのような場合に、積重ね用間隔保持部８を備えていない通常のハット形鋼矢板２と積み重ね用間隔保持部を備えたハット形鋼矢板１との継手部６相互が接触しない状態で積み重ねることができる。
【００３５】
（第４，５実施形態）
図７（ａ）（ｂ）は、本発明の積み重ね用間隔保持部を備えたハット形鋼矢板１の第４実施形態および第５実施形態を示すものであって、図７（ａ）では、ウェブ部３とフランジ部４との連設部に位置する隅角部９で、溝１２の内側に突出する積み重ね用間隔保持部８が対称に設けられている。前記の積み重ね用間隔保持部８は断面で直線状の内側輪郭とされている。図７（ｂ）では、アーム部５とフランジ部４との連設部に位置する隅角部１１で、溝１２の外側に突出する積み重ね用間隔保持部８が設けられ、前記の積み重ね用間隔保持部８は断面で直線状の外側輪郭とされている。
図８（ａ）（ｂ）を参照しながら、図７（ａ）（ｂ）に示すような積み重ね用間隔保持部８を設ける場合について、さらに説明すると、ウェブ部３とフランジ部４との連設部に位置する隅角部９、および、アーム部５とフランジ部４との連設部に位置する隅角部１１に、図８（ａ）に示すように、積み重ね用間隔保持部８を設けない場合においてハット形鋼矢板２を積重ね上下の継手部６が接触した場合で、このような場合における上下の一方のハット形鋼矢板の内隅部に対面する他方のハット形鋼矢板の隅角部のＲ部１４に接する全ての直線Ｌで、フランジ部４とウェブ部３までの全ての直線Ｌであって、ウェブ部３となす角度Ａが０度を超え、かつフランジ部４とアーム部５とのなすフランジ角度α未満にある前記全ての直線Ｌを内包するように、前記一方の鋼矢板の隅角部に内側に向かって突出する隅部用の積み重ね用間隔保持部８を備えている積み重ね用間隔保持部を備えたハット形鋼矢板１とすると、継手部６相互が接触することはない。（なお、本発明の形態では、前記のフランジ角度αは、鋼矢板の継手中心間の有効幅を大きくし、矢板の打設枚数を少なくし、経済的な矢板壁を構築するために、ほぼ７５°未満〜４０°の範囲であるのが好ましい。）
換言すると、前記のような全ての直線Ｌにより形成されるウェブ内側輪郭線およびフランジ内側輪郭線を含むように積み重ね用間隔保持部８を形成すると、全ての直線Ｌを含むので、上下の積み重ね用間隔保持部を備えたハット形鋼矢板１にける継手部６相互が接触することはない。
なお、前記のフランジ角度αは、図２７に示すように、アーム部５の溝１２側の延長面と、傾斜したフランジ部４とのなす角度である。
【００３６】
図９（ａ）（ｃ）（ｄ）の場合には、下位に位置する積み重ね用間隔保持部を備えたハット形鋼矢板１における積み重ね用間隔保持部８により、上位に位置する積み重ね用間隔保持部を備えたハット形鋼矢板１の荷重を２点で支持するようになるが、（ｂ）の場合には４つの積み重ね用間隔保持部８により、上位に位置する積み重ね用間隔保持部を備えたハット形鋼矢板１の荷重を４点で支持するようになる。このように、積み重ね用間隔保持部８を設ける数、例えば、好ましくは、２から４つ設けることにより、上位に位置する積み重ね用間隔保持部を備えたハット形鋼矢板１を下位に位置する積み重ね用間隔保持部を備えたハット形鋼矢板１にける積み重ね用間隔保持部８により、安定した状態で支承することができる。また、積み重ね用間隔保持部８の先端部は、断面円弧状とされているので、上位に位置する積み重ね用間隔保持部を備えたハット形鋼矢板１を断面では、点タッチ（部材長手方向では、線タッチ状態で支承することができる）ので、下位に位置する積み重ね用間隔保持部８に対して、上位に位置する積み重ね用間隔保持部を備えたハット形鋼矢板１の姿勢を調整して、上位に位置する積み重ね用間隔保持部を備えたハット形鋼矢板１の姿勢を調整することができる。
【００３７】
積み重ね用間隔保持部８を設ける場合、図９（ｅ）に示すように、鋼矢板はフランジ部に交差する中立軸Ｃから遠くなるほど、断面２次モーメントが大きくなり、曲げ剛性が高まるので、中立軸Ｃから遠い位置に積み重ね用間隔保持部８を設けるようにすると、断面性能を効率よく向上させることができるのでよい。
【００３８】
前記および後記の実施形態の場合、図１０（ａ）（ｂ）に示すように、枕木１６上に積み重ね用間隔保持部を備えたハット形鋼矢板１を複数積み重ねたハット形鋼矢１８を形成し、その上に枕木１６を介して、ハット形鋼矢１８を積み重ねるように、積み重ね用間隔保持部を備えたハット形鋼矢板１を積み重ねればよい。
【００３９】
（第６，７実施形態）
図１１（ａ）および（ｂ）は本発明の積み重ね用間隔保持部を備えたハット形鋼矢板１の第６実施形態および第７実施形態並びに各ハット形鋼矢板を５枚積み重ねた状態を示すものであって、いずれも、図６（ｄ）に示す形態の具体例であり、図１１（ａ）に示す形態では、ウェブ部３とフランジ部４との連設部に位置する隅角部９の鋼板部分を、溝１２外側に突出するように屈曲させて、積み重ね用間隔保持部８を隅角部９に形成した形態が示され、図１１（ｂ）では、さらに、アーム部５とフランジ部４との連設部に位置する隅角部１１の鋼板部分を、溝１２内側に突出するように屈曲させて、積み重ね用間隔保持部８を隅角部９に形成した形態が示されている。
【００４０】
（第８，９実施形態）
図１２（ａ）および（ｂ）は本発明の積み重ね用間隔保持部を備えたハット形鋼矢板１の第８実施形態および第９実施形態並びに各ハット形鋼矢板を５枚積み重ねた状態を示すものであって、これらの形態では、図１１と関連する形態であり、図１２（ａ）では、重心軸を境にして、一方ではウェブ部３とフランジ部４との連設部に位置する隅角部９に一つの積み重ね用間隔保持部８を設け、他方ではフランジ部４とアーム部５との連設部に位置する隅角部１１に、一つの積み重ね用間隔保持部８を設けるようにしている形態である。
【００４１】
（第１０，１１実施形態）
図１３（ａ）および（ｂ）は本発明の積み重ね用間隔保持部を備えたハット形鋼矢板１の第１０実施形態および第１１実施形態並びに各ハット形鋼矢板を５枚積み重ねた状態を示すものであって、図１１と関連する形態であり、図１３（ａ）では、重心軸を境にして、一方ではウェブ部３とフランジ部４との連設部に位置する２つの隅角部９にそれぞれ積み重ね用間隔保持部８を設け、他方ではフランジ部４とアーム部５との連設部に位置する隅角部１１に、一つの積み重ね用間隔保持部８を設けるようにしている形態である。
【００４２】
（第１２，１３実施形態）
図１４（ａ）および（ｂ）は本発明の積み重ね用間隔保持部を備えたハット形鋼矢板１の第１２実施形態および第１３実施形態並びに各ハット形鋼矢板を５枚積み重ねた状態を示すものであって、図１４（ａ）では、図１あるいは図６（ｂ）の形態で、さらに熱間圧延加工が容易になるように、隅角部９を板厚を増して円弧状断面とした形態であり、図１４（ａ）では、重心軸を境にしてウェブ部３とフランジ部４との連設部に位置するそれぞれの隅角部９に一つの積み重ね用間隔保持部８を設けた形態であり、図１４（ｂ）では、さらに、フランジ部４とアーム部５との連設部に位置する隅角部１１にそれぞれ、積み重ね用間隔保持部８を設けるようにした形態である。
【００４３】
（第１４，１５実施形態）
図１５（ａ）および（ｂ）は本発明の積み重ね用間隔保持部を備えたハット形鋼矢板１の第１４実施形態および第１５実施形態並びに各ハット形鋼矢板を５枚積み重ねた状態を示すものであって、これらの形態は、図１４に示す形態の変形形態である。
図１５（ａ）では、重心軸を境にして、一方では、ウェブ部３とフランジ部４との連設部に位置する隅角部９に、積み重ね用間隔保持部８を設け、他方では、フランジ部４とアーム部５の連設部に位置する隅角部１１に、積み重ね用間隔保持部８を設けた形態である。
図１５（ｂ）では、重心軸を境にして、一方では、ウェブ部３とフランジ部４との連設部に位置する隅角部９と、フランジ部４とアーム部５の連設部に位置する隅角部１１とに、積み重ね用間隔保持部８を設け、他方では、ウェブ部３とフランジ部４の連設部に位置する隅角部９に、積み重ね用間隔保持部８を設けた形態である。
【００４４】
（第１６，１７実施形態）
図１６（ａ）および（ｂ）は本発明の積み重ね用間隔保持部を備えたハット形鋼矢板１の第１６実施形態および第１７実施形態並びに各ハット形鋼矢板を５枚積み重ねた状態を示すものであって、図１５（ａ）では、重心軸を境にして、フランジ部４とアーム部５との連設部に位置する隅角部１１に、それぞれ積み重ね用間隔保持部８を設けた形態であり、図１６（ｂ）では、重心軸を境にして片側のウェブ部３とフランジ部４との連設部に位置する隅角部９に積み重ね用間隔保持部８を設けた形態である。
【００４５】
（第１８，１９実施形態）
図１７（ａ）および（ｂ）は本発明の積み重ね用間隔保持部を備えたハット形鋼矢板１の第１８実施形態および第１９実施形態並びに各ハット形鋼矢板を５枚積み重ねた状態を示すものであって、これらの形態は、図６（ｃ）に示す形態をさらに具体的に示した形態で、図１７（ａ）では、さらに熱間圧延加工が容易になるように、隅角部９を溝１２側に突出させると共に、先端部を曲率の小さき断面円弧状の積重ね用間隔保持部８にした形態であり、ハット形鋼矢板におけるウェブ部３とフランジ部４との連設部に位置する隅角部９外面のＲ部（断面円弧状部）によりも小さい曲率半径とされている。
また、図１７（ｂ）では、フランジ部４とアーム部５との連設部に位置する隅角部１１で、溝１２の外側に突出させるように、先端部を曲率半径の小さくした積み重ね用間隔保持部８を形成している。
【００４６】
（第２０，２１実施形態）
図１８（ａ）および（ｂ）は本発明の積み重ね用間隔保持部を備えたハット形鋼矢板１の第２０実施形態および第２１実施形態並びに各ハット形鋼矢板を５枚積み重ねた状態を示すものであって、図１８（ａ）では、重心軸を境にして、一方ではウェブ部３とフランジ部４との連設部に位置する隅角部９に、前記図１７と同様に積み重ね用間隔保持部８を設け、他方では、フランジ部４とアーム部５との連設部に位置する隅角部１１に積み重ね用間隔保持部８を設けた形態が示されている。
【００４７】
（第２２，２３実施形態）
図１９（ａ）および（ｂ）は本発明の積み重ね用間隔保持部を備えたハット形鋼矢板１の第２２実施形態および第２３実施形態並びに各ハット形鋼矢板を５枚積み重ねた状態を示すものであって、図１９（ａ）に示す形態では、フランジ部４とアーム部５との連設部に位置し、溝１２の外側に位置する部分に積み重ね用間隔保持部８が設けられている形態が示されている。
図１９（ｂ）では、図１８（ａ）に示すように、ウェブ部３とフランジ部４との連設部に位置する隅角部９に、積み重ね用間隔保持部８が設けられている。
【００４８】
（第２４，２５実施形態）
図２０（ａ）および（ｂ）は本発明の積み重ね用間隔保持部を備えたハット形鋼矢板１の第２４実施形態および第２５実施形態並びに各ハット形鋼矢板を５枚積み重ねた状態を示すものであって、図２０（ａ）に示す形態では、図７あるいは図８に示す形態をさらに具体的に示した形態である。
図２０（ｂ）に示す形態では、フランジ部４とアーム部５との接続部に位置する隅角部１１に、溝１２外側に突出する積み重ね用間隔保持部８を設けた形態である。
前記の積み重ね用間隔保持部８は、次のように設定されている。
積み重ね用間隔保持部を設けない場合においてハット形鋼矢板を積重ねた場合における上下の一方のハット形鋼矢板の内隅部に対面する他方のハット形鋼矢板の隅角部のＲ部に接する直線でフランジ部とアーム部までの直線であって、アームとなす角度Ａが０度を超え、かつフランジ部とアーム部とのなすフランジ角度未満にある前記直線を内包するように、前記一方の鋼矢板の隅角部に内側に向かって突出する隅部用の積み重ね用間隔保持部８とされている。
【００４９】
（第２６，２７実施形態）
図２１（ａ）および（ｂ）は本発明の積み重ね用間隔保持部を備えたハット形鋼矢板１の第２６実施形態および第２７実施形態並びに各ハット形鋼矢板を５枚積み重ねた状態を示すものであって、図２１（ａ）に示す形態では、重心軸を境として、一方ではウェブ部３とフランジ部４との連設部に位置する隅角部９に積み重ね用間隔保持部８が設けられ、他方では、フランジ部４とアーム部５との連設部に位置する隅角部１１に、積み重ね用間隔保持部８が設けられている。また、図２１（ｂ）に示す形態では、図２０（ａ）に示す形態で、さらに図２０（ｂ）に示す形態のように、フランジ部４とウェブ部３との連設部に位置する隅角部９に積み重ね用間隔保持部８を設けた形態である。
【００５０】
（第２８，２９実施形態）
図２２（ａ）および（ｂ）は本発明の積み重ね用間隔保持部を備えたハット形鋼矢板１の第２８実施形態および第２９実施形態並びに各ハット形鋼矢板を５枚積み重ねた状態を示すものであって、図２２（ａ）に示す形態では、重心軸を境として、フランジ部４とアーム部５との連設部に位置するそれぞれ隅角部１１に積み重ね用間隔保持部８が設けられている形態である。
【００５１】
（第３０実施形態）
図２３には、本発明の積み重ね用間隔保持部を備えたハット形鋼矢板１の第３０実施形態およびそのハット形鋼矢板を５枚積み重ねた状態を示すものであって、この形態では、ウェブ部３とフランジ部４との連設部に位置する隅角部９に設ける積み重ね用間隔保持部８を、図１４に示す形態と同様な形態の積み重ね用間隔保持部８とし、フランジ部４とアーム部５との連設部に位置する隅角部１１に設ける積み重ね用間隔保持部８を、図２２に示す形態の積み重ね用間隔保持部８とした形態である。このように本発明では、積み重ね用間隔保持部８の形態の異なる組み合わせ形態としてもよい。
【００５２】
（第３１，３２実施形態）
図２４（ａ）および（ｂ）は本発明の積み重ね用間隔保持部を備えたハット形鋼矢板１の第３１実施形態および第３２実施形態並びに各ハット形鋼矢板を５枚積み重ねた状態を示すものであって、図２４（ａ）では、図２０（ａ）における積み重ね用間隔保持部８の内側輪郭線を円弧状とし、図２０（ａ）に示す積み重ね用間隔保持部８の直線状の内側輪郭線を接線とするように、ウェブ部３とフランジ部４とを接続するように円弧状の内側輪郭線とした積み重ね用間隔保持部８の形態である。
また、図２４（ｂ）に示す形態では、図２０（ｂ）において、溝１２内側における積み重ね用間隔保持部８の内側輪郭線を円弧状とすると共に、溝１２外側における積み重ね用間隔保持部８の外側輪郭線を円弧状とし、図２０（ｂ）に示す積み重ね用間隔保持部８の各直線状の輪郭線を接線とするように、ウェブ部３とフランジ部４とを接続するように円弧状の内側輪郭線とすると共に、フランジ部４とアーム部５とを接続するように円弧状の輪郭線（溝外側に位置する積み重ね用間隔保持部８の輪郭線）とした積み重ね用間隔保持部８の形態である。
【００５３】
（第３３，３４実施形態）
図２５（ａ）および（ｂ）は本発明の積み重ね用間隔保持部を備えたハット形鋼矢板１の第３３実施形態および第３４実施形態並びに各ハット形鋼矢板を５枚積み重ねた状態を示すものであって、図２５（ａ）では、重心軸を境にして、一方では、図２４に示す形態とし、他方では、図２４（ｂ）に示す、フランジ部４とアーム部５の連設部に位置する隅角部１１にもうけた積み重ね用間隔保持部８とした形態である。
【００５４】
図２６（ａ）および（ｂ）は本発明の積み重ね用間隔保持部を備えたハット形鋼矢板１の第３５実施形態および第３６実施形態並びに各ハット形鋼矢板を５枚積み重ねた状態を示すものであって、図２６（ａ）では、フランジ部４とアーム部５との接続部に位置する隅角部１１に設ける積み重ね用間隔保持部８を図２４（ｂ）に示す形態と同様にした形態であり、図２６（ｂ）では、さらに、重心軸を境にして一方のウェブ部３とフランジ部４との連設部に位置する隅角部９に積み重ね用間隔保持部８を設けた形態である。
【００５５】
前記実施形態のように、積み重ね用間隔保持部を備えたハット形鋼矢板１における積重ね用間隔保持部８は、それ単独で、上下方向の高さ寸法と左右方向の位置規制寸法を備えた形態である場合には、それ自身または上位に位置するハット形鋼矢板を位置規制しながら支承することができる。また、隅角部に設けられる積重ね用間隔保持部８では、下位または上位の積み重ね用間隔保持部を備えたハット形鋼矢板１のＲ部等と共同して、相互に位置規制されながら支承される。
なお、重心軸を境にした一方側および他方側であって、平坦なウェブ部３の中間部に２つの積重ね用間隔保持部８を設ける場合、あるいはアーム部５の幅方向中央部にそれぞれ積重ね用間隔保持部８を設けるよりは、前記各実施形態のように、積重ね用間隔保持部８単独でまたは共同して上下左右方向の位置規制作用のある形態のほうが、積み重ね用間隔保持部を備えたハット形鋼矢板１を安定した状態で支承することができる。
【００５６】
なお、前記のように、中央に位置するウェブ部３の両端に一対のフランジ部４を配設し、前記各フランジ部４の他端にアーム部５および前記アーム部５の先端に継手部６を配設した断面ハット形状の熱間圧延鋼矢板において、アーム部５の幅（Ｂ）と鋼矢板の高さ（Ｈ）との関係が下記（１）式を満足するような積み重ね用間隔保持部を備えたハット形鋼矢板１であると、１０枚２０枚と多数のハット形鋼矢板１を積み重ねて仮置きした場合に、アーム部５の変形を防止することも可能になる。
Ｂ／Ｈ＜０．２４７・・・（１）
前記のＢ／Ｈの値が０．２４７より大きくなると、１０枚２０枚と多数枚のハット形鋼矢板１を積み重ねて仮置きした場合あるいは多数回打ち込み使用を繰り返した場合に、アーム部５の変形を起こす恐れがある。
また、アーム部の幅（Ｂ）（ｍｍ）とアーム部の板厚（Ｔ）（ｍｍ）との関係が（２）式を満足するような積み重ね用間隔保持部を備えたハット形鋼矢板１であると、アーム部５の剛性を確実に客観的に幅厚比で規定することができ、積み重ね用間隔保持部を備えたハット形鋼矢板１の設計が容易になる。
Ｂ2／Ｔ3＜２．５５・・・（２）
前記のＢ2／Ｔ3の値が２．５５より大きくなると、１０枚２０枚と多数枚のハット形鋼矢板１を積み重ねて仮置きした場合あるいは多数回打ち込み使用を繰り返した場合に、アーム部５の変形を起こす恐れが高くなる。
また、これらの場合において、ハット形鋼矢板１枚の幅が７００ｍｍ以上である場合、１個の継手部６の弱軸方向の断面剛性（Ｉｊ）とハット形鋼矢板１枚当りの弱軸方向の断面剛性（Ｉ）と継手部６の継手底部の板厚（ｔｊ）との関係が、下記（３）式を満足する積み重ね用間隔保持部を備えたハット形鋼矢板１にするようにするとよい。
（Ｉｊ／Ｉ）×ｔｊ3＞０．０３４５％・・・（３）
前記の（Ｉｊ／Ｉ）×ｔｊ3の値が０．０３４５％より小さくなると、１０枚２０枚と多数枚のハット形鋼矢板１を積み重ねて仮置きした場合あるいは多数回打ち込み使用を繰り返した場合に、アーム部５の変形を起こす恐れが高くなる。
【００５７】
本発明を実施する場合、積重ね用間隔保持部８としては、鋭角な積重ね用間隔保持部８としてもよく、先端部が断面で半円状または１／４円状の積重ね用間隔保持部８としてもよい。
【符号の説明】
【００５８】
１      積み重ね用間隔保持部を備えたハット形鋼矢板
２      ハット形鋼矢板
３      ウェブ部
４      フランジ部
５      アーム部
６      継手部
７      継手開口溝
８      積み重ね用間隔保持部
９      ウェブ部とフランジ部の連設部に位置する隅角部
１０    継手本体部
１１    アーム部とフランジ部との連設部に位置する隅角部
１２    溝
１３    積重ね用間隔保持部の先端部
１４    隅角部のＲ部
１５    支持部
１６    枕木
１８    ハット形鋼矢板郡
１９    基端側突出部
２０    支承面
２１    段差または突起
２３    Ｕ形鋼矢板
２４    木材
【図１】
0005273275.tif 000002
【図２】
0005273275.tif 000003
【図３】
0005273275.tif 000004
【図４】
0005273275.tif 000005
【図５】
0005273275.tif 000006
【図６】
0005273275.tif 000007
【図７】
0005273275.tif 000008
【図８】
0005273275.tif 000009
【図９】
0005273275.tif 000010
【図１０】
0005273275.tif 000011
【図１１】
0005273275.tif 000012
【図１２】
0005273275.tif 000013
【図１３】
0005273275.tif 000014
【図１４】
0005273275.tif 000015
【図１５】
0005273275.tif 000016
【図１６】
0005273275.tif 000017
【図１７】
0005273275.tif 000018
【図１８】
0005273275.tif 000019
【図１９】
0005273275.tif 000020
【図２０】
0005273275.tif 000021
【図２１】
0005273275.tif 000022
【図２２】
0005273275.tif 000023
【図２３】
0005273275.tif 000024
【図２４】
0005273275.tif 000025
【図２５】
0005273275.tif 000026
【図２６】
0005273275.tif 000027
【図２７】
0005273275.tif 000028
【図２８】
0005273275.tif 000029
【図２９】
0005273275.tif 000030
【図３０】
0005273275.tif 000031
【図３１】
0005273275.tif 000032
【図３２】
0005273275.tif 000033
【図３３】
0005273275.tif 000034
【図３４】
0005273275.tif 000035
【図３５】
0005273275.tif 000036
【図３６】
0005273275.tif 000037
【図３７】
0005273275.tif 000038
【図３８】
0005273275.tif 000039